【手続補正書】
【提出日】平成26年5月1日(2014.5.1)
【手続補正１】
【補正対象書類名】特許請求の範囲
【補正対象項目名】全文
【補正方法】変更
【補正の内容】
【特許請求の範囲】
【請求項１】
フレーム反転駆動する液晶表示装置であって、
前記液晶表示装置は、
マトリクス状に配置された複数の画素と、
複数のコモン線と、
複数の走査線と、を有し、
前記複数の画素の各々は、液晶素子と、前記液晶素子の第１の電極に印加する電圧を制御する機能を有するトランジスタと、を有し、
前記複数の走査線の各々は、前記複数の画素のうち、行方向に配置された画素が有するトランジスタのゲートと電気的に接続され、
前記複数のコモン線の各々は、前記複数の画素のうち、行方向に配置された画素が有する液晶素子の第２の電極と電気的に接続され、
第１のフレーム期間において、前記複数の走査線が順次選択されるのに同期して、前記複数のコモン線に順次第１の電位が保持され、
前記第１のフレーム期間と隣り合う第２のフレーム期間において、前記複数の走査線が順次選択されるのに同期して、前記複数のコモン線に順次第２の電位が保持され、
前記第１の電位と前記第２の電位とは異なることを特徴とする液晶表示装置。
【請求項２】
請求項１において、
前記複数のコモン線が保持する電位を供給する機能を有するシフトレジスタを有し、
前記シフトレジスタは、リセット用パルス出力回路と、セット用パルス出力回路と、を有することを特徴とする液晶表示装置。
【請求項３】
ゲートライン反転駆動する液晶表示装置であって、
前記液晶表示装置は、
マトリクス状に配置された複数の画素と、
複数の第１のコモン線と、
複数の第２のコモン線と、
複数の走査線と、を有し、
前記複数の画素の各々は、液晶素子と、前記液晶素子の第１の電極に印加する電圧を制御する機能を有するトランジスタと、を有し、
前記複数の走査線の各々は、前記複数の画素のうち、行方向に配置された画素が有するトランジスタのゲートと電気的に接続され、
前記複数の第１のコモン線の各々は、前記複数の画素のうち、奇数行の行方向に配置された画素が有する液晶素子の第２の電極と電気的に接続され、
前記複数の第２のコモン線の各々は、前記複数の画素のうち、偶数行の行方向に配置された画素が有する液晶素子の第２の電極と電気的に接続され、
第１のフレーム期間において、前記複数の走査線が順次選択されるのに同期して、前記複数の第１のコモン線に順次第１の電位が保持される動作と、前記複数の第２のコモン線に順次第２の電位が保持される動作と、が交互に行われ、
前記第１のフレーム期間と隣り合う第２のフレーム期間において、前記複数の走査線が順次選択されるのに同期して、前記複数の第１のコモン線に順次前記第２の電位が保持される動作と、前記複数の第２のコモン線に順次前記第１の電位が保持される動作と、が交互に行われ、
前記第１の電位と前記第２の電位とは異なることを特徴とする液晶表示装置。
【請求項４】
請求項３において、
前記複数の第１のコモン線が保持する電位を供給する機能を有する第１のシフトレジスタと、
前記複数の第２のコモン線が保持する電位を供給する機能を有する第２のシフトレジスタと、を有し、
前記第１のシフトレジスタと前記第２のシフトレジスタの各々は、リセット用パルス出力回路と、セット用パルス出力回路と、を有することを特徴とする液晶表示装置。
【請求項５】
請求項２又は請求項４において、
前記リセット用パルス出力回路は、
第１のトランジスタ乃至第９のトランジスタと、
第１の入力端子乃至第５の入力端子と、
出力端子と、
第１の電源線乃至第８の電源線と、を有し、
前記第１のトランジスタは、第１の端子が前記第１の電源線と接続され、第２の端子が前記第５のトランジスタの第１の端子と接続され、ゲートが前記第４の入力端子と接続され、
前記第２のトランジスタは、第１の端子が前記第５のトランジスタの第１の端子と接続され、第２の端子が前記第２の電源線と接続され、ゲートが前記第４のトランジスタのゲートと接続され、
前記第３のトランジスタは、第１の端子が前記第２の入力端子と接続され、第２の端子が前記出力端子と接続され、ゲートが前記第５のトランジスタの第２の端子と接続され、
前記第４のトランジスタは、第１の端子が前記出力端子と接続され、第２の端子が前記第３の電源線と接続され、
前記第５のトランジスタは、ゲートが前記第４の電源線と接続され、
前記第６のトランジスタは、第１の端子が前記第５の電源線と接続され、第２の端子が前記第４のトランジスタのゲートと接続され、ゲートが前記第３の入力端子と接続され、
前記第７のトランジスタは、第１の端子が前記第６の電源線と接続され、第２の端子が前記第４のトランジスタのゲートと接続され、ゲートが前記第１の入力端子と接続され、
前記第８のトランジスタは、第１の端子が前記第７の電源線と接続され、第２の端子が前記第４のトランジスタのゲートと接続され、ゲートが前記第５の入力端子と接続され、
前記第９のトランジスタは、第１の端子が前記第４のトランジスタのゲートと接続され、第２の端子が前記第８の電源線と接続され、ゲートが前記第４の入力端子と接続されていることを特徴とする液晶表示装置。
【請求項６】
請求項５において、
前記第１のトランジスタ乃至前記第９のトランジスタは、Ｎチャネル型のトランジスタであることを特徴とする液晶表示装置。
【請求項７】
請求項２又は請求項４において、
前記リセット用パルス出力回路は、
第１のトランジスタ乃至第８のトランジスタと、
第１の入力端子乃至第４の入力端子と、
出力端子と、
第１の電源線乃至第７の電源線と、を有し、
前記第１のトランジスタは、第１の端子が前記第１の電源線と接続され、第２の端子が前記第５のトランジスタの第１の端子と接続され、ゲートが前記第４の入力端子と接続され、
前記第２のトランジスタは、第１の端子が前記第５のトランジスタの第１の端子と接続され、第２の端子が前記第２の電源線と接続され、ゲートが前記第４のトランジスタのゲートと接続され、
前記第３のトランジスタは、第１の端子が前記第２の入力端子と接続され、第２の端子が前記出力端子と接続され、ゲートが前記第５のトランジスタの第２の端子と接続され、
前記第４のトランジスタは、第１の端子が前記出力端子と接続され、第２の端子が前記第３の電源線と接続され、
前記第５のトランジスタは、ゲートが前記第４の電源線と接続され、
前記第６のトランジスタは、第１の端子が前記第５の電源線と接続され、第２の端子が前記第４のトランジスタのゲートと接続され、ゲートが前記第３の入力端子と接続され、
前記第７のトランジスタは、第１の端子が前記第６の電源線と接続され、第２の端子が前記第４のトランジスタのゲートと接続され、ゲートが前記第１の入力端子と接続され、
前記第８のトランジスタは、第１の端子が前記第４のトランジスタのゲートと接続され、第２の端子が前記第７の電源線と接続され、ゲートが前記第４の入力端子と接続されていることを特徴とする液晶表示装置。
【請求項８】
請求項７において、
前記第１のトランジスタ乃至前記第８のトランジスタは、Ｎチャネル型のトランジスタであることを特徴とする液晶表示装置。
【請求項９】
請求項２及び請求項４乃至請求項８のいずれか一項において、
前記セット用パルス出力回路は、
第１のトランジスタ乃至第１０のトランジスタと、
第１の容量素子と、
第２の容量素子と、
第１の入力端子乃至第４の入力端子と、
第１の出力端子と、
第２の出力端子と、
第１の電源線乃至第１０の電源線と、を有し、
前記第１のトランジスタは、第１の端子が前記第１の電源線と接続され、第２の端子が前記第１の出力端子と接続され、
前記第２のトランジスタは、第１の端子が前記第１の出力端子と接続され、第２の端子が前記第２の電源線と接続され、
前記第３のトランジスタは、第１の端子が前記第２の入力端子と接続され、第２の端子が前記第２の出力端子と接続され、ゲートが前記第１のトランジスタのゲートと接続され、
前記第４のトランジスタは、第１の端子が前記第２の出力端子と接続され、第２の端子が前記第３の電源線と接続され、ゲートが前記第２のトランジスタのゲートと接続され、
前記第５のトランジスタは、第１の端子が前記第６のトランジスタの第１の端子と接続され、第２の端子が前記第１のトランジスタのゲートと接続され、ゲートが前記第４の電源線と接続され、
前記第６のトランジスタは、第２の端子が前記第５の電源線と接続され、ゲートが前記第２のトランジスタのゲートと接続され、
前記第７のトランジスタは、第１の端子が前記第６の電源線と接続され、第２の端子が前記第６のトランジスタの第１の端子と接続され、ゲートが前記第３の入力端子と接続され、
前記第８のトランジスタは、第１の端子が前記第７の電源線と接続され、第２の端子が前記第２のトランジスタのゲートと接続され、ゲートが前記第１の入力端子と接続され、
前記第９のトランジスタは、第１の端子が前記第８の電源線と接続され、第２の端子が前記第２のトランジスタのゲートと接続され、ゲートが前記第４の入力端子と接続され、
前記第１０のトランジスタは、第１の端子が前記第２のトランジスタのゲートと接続され、第２の端子が前記第９の電源線と接続され、ゲートが前記第３の入力端子と接続され、
前記第１の容量素子は、一方の端子が前記第１のトランジスタのゲートと接続され、他方の端子が前記第１の出力端子と接続され、
前記第２の容量素子は、一方の端子が前記第２のトランジスタのゲートと接続され、他方の端子が前記第１０の電源線と接続されていることを特徴とする液晶表示装置。
【請求項１０】
請求項９において、
前記第１のトランジスタ乃至前記第１０のトランジスタは、Ｎチャネル型のトランジスタであることを特徴とする液晶表示装置。
【請求項１１】
請求項１乃至請求項１０のいずれか一項において、
前記液晶素子が有する液晶層は、ブルー相を示す液晶材料を有することを特徴とする液晶表示装置。
【請求項１２】
請求項１乃至請求項１１のいずれか一項に記載の液晶表示装置を具備する電子機器。